(57)【要約】【課題】薬剤の微細、分散化を図り、かつエアーの誤った吹き込みにおいても薬剤の飛散を回避し得る吸引式投薬器を提案する。【解決手段】薬剤を充填したカプセルを収納する収納室を有するボディ1と、このボディ1の収納室Mに配置されたカプセルに孔を開ける穿孔手段7とを備え、穿孔されたカプセルから取り出された薬剤を外気とともに収納室Mの流通路1b（出側通路1b２）、分散経路3、さらにマウスピース2の噴出経路2aを経て排出する吸引式投薬器において、前記収納室Mの流通路1b（出側通路1b２）の上流側に、該流通路1b（出側通路1b２）に直交する向きに開通し薬剤の吸引時に通気孔4aを通して別途に外気を導入して薬剤との混合の促進を図る外気導入通路4を設ける。【選択図】図１
2008295686.tif 000002
【特許請求の範囲】
【請求項１】
薬剤を充填したカプセルを収納する収納室を有するボディと、このボディの収納室に配置されたカプセルに孔を開ける穿孔手段とを備え、穿孔されたカプセルから取り出された薬剤を外気とともに収納室につながる流通路、分散経路、さらにマウスピースの噴出経路を経て排出する吸引式投薬器であって、
前記流通路の上流側に、該流通路に直交する向きに開通し薬剤の吸引時に通気孔を通して別途に外気を導入して薬剤との混合の促進を図る外気導入通路を配置したことを特徴とする吸引式投薬器。
【発明の詳細な説明】
【技術分野】
【０００１】
本発明は、患者の吸引により薬剤を投与するのに適した吸引式投薬器に関するものであり、カプセルから取り出した薬剤の飛散を確実に回避しようとするものである。
【背景技術】
【０００２】
薬剤を装填したカプセルを収納室に配置し該カプセルに孔を開けたのち、マウスピースを通してカプセル内の薬剤を吸引する吸引器は、喘息患者等において多用されるものであって、カプセルから取り出した薬剤（薬粉）を残らず吸引し得るようにその構造に工夫を加えたものとしては、投薬器本体内を軸方向に貫通して延びた通気路を設け、この通気路と被せる収納穴とを連通した構造になる投薬器が知られている（例えば特許文献1参照）。
【特許文献１】特許第3372105号明細書
【０００３】
ところで、上記のような従来の投薬器は、患者が誤ったエアーを吹き込んだ場合に、軸方向に貫通して延びる通気路を通して薬剤が飛散してしまうこともしばしば見受けられその点に関して未だ改善の余地が残されていた。
【発明の開示】
【発明が解決しようとする課題】
【０００４】
本発明の課題は、上記のような従来の問題を回避し得る新規な吸引式投薬器を提案するところにある。
【課題を解決するための手段】
【０００５】
本発明は、薬剤を充填したカプセルを収納する収納室を有するボディと、このボディの収納室に配置されたカプセルに孔を開ける穿孔手段とを備え、穿孔されたカプセルから取り出された薬剤を外気とともに収納室につながる流通路、分散経路、さらにマウスピースの噴出経路を経て排出する吸引式投薬器であって、
前記流通路の上流側に、該流通路に直交する向きに開通し薬剤の吸引時に通気孔を通して別途に外気を導入して薬剤との混合の促進を図る外気導入通路を配置したことを特徴とする吸引式投薬器である。
【発明の効果】
【０００６】
薬剤の吸引に際しては収納室につながる流通路の上流側に、通気孔を通してつながる外気導入経路を別途に配置したので、薬剤との混合、分散が促進され効率的な投薬が可能となる。
【０００７】
とくに流通路の上流側の下側隅部には薬剤が堆積、固着しやすいが、その部位に外気導入通路につながる通気孔を設けることで薬剤の堆積、固着が回避される。
【０００８】
外気導入経路を流通路と直交する向きに開通することで、マウスピースを通し誤ってエアーが吹き込まれた場合においても、薬剤が外気導入通路の壁部に衝突するため薬剤が投薬器の後方へ向けて飛散するのを極力回避し得る。
【発明を実施するための最良の形態】
【０００９】
以下、図面を参照して本発明をより具体的に説明する。
図1は本発明に従う吸引式投薬器の実施の形態をその外観で示したものであり、図2、図3はその各断面を示した図である。
【００１０】
図において1は投薬器の主要部を構成するボディである。このボディ1は軸心L（図2参照）に沿う対向位置の2箇所において両端が開放された筒体1′を例として示してあり、その内側には、図2に示すように仕切り壁1aによってカプセルを収納する収納室Mと、この収納室Mにつながる流通路1bが設けられている。ここに流通路1bにおいて収納室Mの入側における流通路を入側通路1b１とし、収納室Mの出側における流通路を出側通路1b２とする。
【００１１】
2は筒体1′の開口部1cにつながるマウスピースである。このマウスピース2は外気と混合された薬剤を排出する末広がり形状になる噴出経路2aを有する（図2参照）。
【００１２】
3はボディ1とマウスピース2とをつなぐ分散室である。この分散室3は薬剤を壁面に衝突させつつ微細に分散させてマウスピース2へと送給するものであり、ここに例示した分散室3は、一方を他方に嵌合させて内部空間を区画形成する二分割形式の例で示した外周壁3a、3b（位置決め用の凹凸3a１、3b１を有する。図4参照）と、分散室3を入側域M１と出側域M２に区分して迂回経路（内部空間の道のりを長くする）ｒを形成する隔壁3c（外周壁3bと一体物として表示）と、一端がマウスピース3の噴出経路2aの後端につながり他端を隔壁3cに連係させた筒体3dから構成されており、外周壁3bには、出側通路1b２につながり内部空間の入側域M１で壁面に沿って薬剤を導入する入口（先細り形状の絞り通路）3eが設けられている。
【００１３】
上記分散室3の内部は迂回経路ｒにより道のりが長くなっており、外気と混合された薬剤はここを通る間に撹乱、破砕され、微細、分散化された薬剤としてマウスピース2の噴出経路2aから噴出する。図4に分散室3の分解状態を示す。
【００１４】
また、4は収納室Mの出側通路1b２の上流側における側壁K（図2参照）に隣接配置された外気導入通路である。この外気導入通路4は出側通路1b２とは直交する向きに開通しており(立ち上げ通路となっている)、薬剤を吸引する際に、出側通路1b２及び外気導入通路4の相互間をつなぐ通気孔4a（外気の速度を高める絞り口として機能を有する）を通して外気を別途に出側通路1b１に導入して薬剤との混合の促進を図る。
【００１５】
通気孔4aの開口断面積を外気導入通路4及び出側通路1b２の通路断面積より小さくした場合には、通気孔4aに外気の速度を高める絞り口としての機能を付与することができる。
【００１６】
5は筒体1′のもう一方の開口部1dに設けられた蓋体である。この蓋体5はマウスピース2による吸引時にボディ1内への外気の導通を許容し、誤って呼気をマウスピース2から吹き込んだ場合には、蓋体5の開口部5bを閉塞する逆止弁5aが配置されていて、連結部としての枢軸Pを介して筒体1′に開閉可能につながっている。連結部は枢軸Pに代えてヒンジを適用することもできる。
【００１７】
6は蓋体5の両側に一体的に設けられた係止片である（図1参照）。この係止片6の先端には爪部6aが設けられており、この爪部6aを、筒体1′に設けた開口で係止することで蓋体5を閉じた状態に保持する。
【００１８】
7はボディ1の収納室Mに配置されたカプセルに孔を開ける穿孔手段である。この穿孔手段7はボディ1に一体的あるいは別体としてつながるとともに上端部に開口を有する筒体7aと、この筒体7aの内側にてスプリングSの如き弾性部材にてスライド可能に支持され、上端部の開口より抜け出し不能に露出する押しボタン7bと、この押しボタン7bの孔部7b′に嵌合保持され、該押しボタン7bの押圧にて隔壁1aに形成された貫通孔hを通して収納室Mに先端部分を導入してカプセルの穿孔を行なうピン7cからなる。さらに、8は筒体7aの上端部でねじあるいはアンダーカットにより係合され押しボタン7bの抜け出しを防止する抜け止めキャップである。
【００１９】
上記の構成になる投薬器において、収納室M内に配置したカプセル内の薬剤を吸引するには、まず、押しボタン7bを押し込む。そうすると押しボタン7bにつながるピン7cがスプリングSの反発力に抗して収納室Mへと導入されその先端部分でカプセルに孔が開けられる。
【００２０】
カプセルに孔を開けたのち、マウスピース2を口で咥え込んで吸気すると、図2中の矢印の如く逆止弁5aを通って外気が収納室M内へと流入し、カプセル内の薬剤と混合され、流通路1b、開口h及び外気導入経路4から入口3eを通って分散室3へと導入される。
【００２１】
分散室3では図2中の矢印の如き流れにより薬剤が撹乱、破砕されてマウスピース2の噴出経路2aからは微細、分散化された薬剤として排出される。
【００２２】
カプセルを収納室Mに配置するには、蓋体5の係止片6を両側から内側に向けて押し込みその爪部6aによるボディ1との連係を解除して図5に示すように、蓋体5を枢軸Pを基点にして回動させればよく、これにより収納室Mが開放されカプセルを簡単に装填することができる。
【００２３】
出側通路1b２の上流側の側壁Kの下側隅部は薬剤が堆積して固着し易い個所であるが、本発明の投薬器はその部位に外気導入通路4につながる通気孔4aを設けてあり、薬剤の吸引に際して外気が通過するため薬剤の堆積、固着することがない。
【００２４】
また、誤ってエアーが吹き込まれた場合においても外気導入経路4が出側通路1b２とは直交する向きの立ち上げ通路になっているので外気導入通路4の壁面に衝突してその速度が急速に低下することとなるので、投薬器の後方における薬剤の飛散が回避される。
【００２５】
本発明では、穿孔手段7をボディ1の軸心に対して直交する向きに設けたものを例として示したが、該穿孔手段7は、ボディ1の軸心Lに沿う向きに設けてもよい。
【００２６】
分散室3の隔壁3cについては、図4に示したように、迂回経路rを有するものに限らず、目的とする薬剤の拡散が可能であれば、単なる直線通路で形成してもよく、その形態は限定されるものではない。
【００２７】
また、外気導入通路4の底部とそれにつながる立ち上がり壁との境界に通気孔4aに向けて低くなる傾斜面あるいは湾曲面を設けることでその部位における薬剤の堆積が回避される。
【００２８】
図6、図7は本発明にしたがう吸引式投薬器の他の実施の形態を示したものである。この例は、分散室3を、マウスピース2の噴出経路2aの後端につながる筒体3dを備えたケース3ｆと、このケース3ｆの後端面に嵌合するベース3gと、ケース3ｆ及びベース3gの相互間に配置されたコア3hによって構成したものである。
【００２９】
図6の例は分散室3内に、入口3eにつながる分岐空間3iを設け、この分岐空間3iにつながる分岐通路3jと、この分岐通路3j及びW形の断面形状になる湾曲通路r１につながるストレート通路3kを形成したものであり、図7の例は分散室3内に入口3eにつながる分岐空間3iを設け、この分岐空間3iにつながる分岐通路3jと、この分岐通路3j及び湾曲通路r１につながる螺旋通路3Lを形成したものである。図6、7の投薬器は何れにおいても分散室3においては筒体3dに至るまでの道のりが延長されており、マウスピース2の噴出経路2aに至るまでの間で薬剤は十分に撹乱、破砕されその結果、薬剤は微細、分散化された薬剤としてマウスピース2から噴出することになる。図8、図9に図6、図7に示したコア3hの外観をそれぞれ示す。
【００３０】
上記の実施の形態では、収納室Mを挟んで対向する位置に、外部と収納室Mとを連通させる入側通路1b１（図示した収納室Mの上方）、収納室Mと分散経路3とを連通させる出側通路1b２（図示した収納室Mの下方）とによって流通路1bを構成したが、該流通路1bの構成はこれに限定されるものではなく、例えば、前記入側通路1b１を外部と収納室M、及び分散経路3に連通させる構成としてもよい。
【００３１】
また、通気孔4aは、少なくとも出側通路1b２の収納室Mに対向する内周壁に沿って開口させることにより薬剤の堆積を効果的に抑制することができる。
【産業上の利用可能性】
【００３２】
カプセル内の薬剤を微細、分散化して吸引することができるとともに、誤ってエアーを吹き込んでも投薬器の後方に向けて薬剤が飛散することのない吸引式投薬器が提供できる。
【図面の簡単な説明】
【００３３】
【図１】本発明にしたがう吸引式投薬器の実施の形態を外観で示した図である。
【図２】図1に示した投薬器の断面を示した図である。
【図３】図2のA-A断面を示した図である。
【図４】分散室を分解状態で示した図である。
【図５】図1に示した投薬器につき、収納室を開放した状態を示した図である。
【図６】本発明にしたがう吸引式投薬器の他の実施の形態を示した図である。
【図７】本発明にしたがう吸引式投薬器の他の実施の形態を示した図である。
【図８】図6に示したコアの外観斜視図である。
【図９】図7に示したコアの外観斜視図である。
【符号の説明】
【００３４】
1    ボディ
1′  筒体
1a   仕切り壁
1b   流通路
1b１  入側通路
1b２  出側通路
1c   開口部
1d   開口部
2    マウスピース
2a   噴出経路
3    分散経路
3a   外周壁
3b   外周壁
3c   隔壁
3d   筒体
3e   入口
3f   ケース
3g   ベース
3h   コア
3i   分岐空間
3j   分岐通路
3k   ストレート通路
3j   螺旋通路
4    外気導入通路
4a   通気孔
5    蓋体
5a   逆止弁
5b   開口
6    係止片
6a   爪部
7    穿孔手段
7a   筒体
7b   押しボタン
7b′ 孔部
7c   ピン
8    抜け止めキャップ
9    湾曲面
M    収納室
S    スプリング
L    軸芯
M1   入側域
M２   出側域
P   枢軸
r   迂回経路  
r１  湾曲通路
K   流通路の上流側の側壁
【図１】
2008295686.tif 000003
【図２】
2008295686.tif 000004
【図３】
2008295686.tif 000005
【図４】
2008295686.tif 000006
【図５】
2008295686.tif 000007
【図６】
2008295686.tif 000008
【図７】
2008295686.tif 000009
【図８】
2008295686.tif 000010
【図９】
2008295686.tif 000011